(57)【要約】      （修正有）【課題】コンパクトな構成を有するスイッチング装置を提供する。【解決手段】スイッチング装置は、接触システムを備え、前記接触システムは少なくとも１つの摺動接点及びそれに対応する接触経路を備え、前記接触経路は接続板の一方の側に位置する。前記摺動接点は切換レバーの動きに追随して移動し、前記接続板における接触経路は電動駆動装置に電気接続されている。上記スイッチング装置の構成がコンパクトであり、空間を節約することができる。【選択図】図１
2018129293.tif 000002
【特許請求の範囲】
【請求項１】
スイッチング装置であって、
軸受部材と、
スイッチ開位置と少なくとも１つの閉位置との間に枢動する切換レバーと、
少なくとも１つの摺動接点及びそれに対応する接触経路を有する接触システムとを備え、
前記接触経路は、接続板の一方の側に位置し、
前記摺動接点は前記切換レバーの動きに追随して移動し、前記接続板における接触経路は電動駆動装置に接続されていることを特徴とするスイッチング装置。
【請求項２】
前記軸受部材はスリーブ状の突起を有し、前記接触システムは前記スリーブ状の突起内に収容されていることを特徴とする請求項１に記載のスイッチング装置。
【請求項３】
前記接触経路は線形勾配を有し、且つ互いに平行に配置されていることを特徴とする請求項１に記載のスイッチング装置。
【請求項４】
前記閉位置の数は２つであり、前記切換レバーは、手動操作又は制御装置による操作により、スイッチ開位置から２つの異なる閉位置に枢動し、前記スイッチ開位置は、２つの閉位置の間に位置することを特徴とする請求項１に記載のスイッチング装置。
【請求項５】
前記スリーブ状の突起内に、軸受ブッシュを有し、前記軸受ブッシュに接続片が対応的に設けられ、前記摺動接点の接触アームは、それぞれ前記接続片内に挿入され、前記接続片は、軸受ブッシュに、軸方向において前後に設けられていることを特徴とする請求項２に記載のスイッチング装置。
【請求項６】
前記摺動接点の接触アームを収容するために、前記接続片に、収容溝が対応的に設けられていることを特徴とする請求項５に記載のスイッチング装置。
【請求項７】
前記軸受ブッシュにおける接続片に挿入式貫通孔が設けられ、前記挿入式貫通孔は前記収容溝と貫通し、これらの貫通孔は摺動接点に対応するリード線を収容し、前記切換レバーがスイッチ開位置に位置するとき、前記収容溝は前記接続板の垂直方向に延出することを特徴とする請求項６に記載のスイッチング装置。
【請求項８】
前記切換レバーがスイッチ開位置に位置するとき、前記摺動接点は前記接続板と距離を隔てており、前記摺動接点の端側の接触舌片と接触経路とは接触していないことを特徴とする請求項１に記載のスイッチング装置。
【請求項９】
前記切換レバーが第１閉位置まで枢動するときに、前記摺動接点の端側の接触舌片が前記接触経路と接触して、電動駆動装置が第１方向に沿って回転するように電動駆動装置を起動させ、前記切換レバーが第２閉位置まで枢動するときに、前記摺動接点の端側の接触舌片が前記接触経路と接触して、電動駆動装置が第１方向に反対する第２方向に沿って回転するように電動駆動装置を起動させることを特徴とする請求項１に記載のスイッチング装置。
【請求項１０】
前記スイッチング装置はカーテン装置に設けられ、前記カーテン装置はカーテンを備え、前記電動駆動装置が第１方向に沿って回転するとき、前記カーテンが引き上げられ、前記電動駆動装置が第２方向に沿って回転するとき、前記カーテンが下降することを特徴とする請求項９に記載のスイッチング装置。
【請求項１１】
前記軸受部材はスリーブ状の突起及び支持板を備え、前記スリーブ状の突起は前記接触システムを収容し、前記スリーブ状の突起は、前記支持板の前側に設けられていることを特徴とする請求項１に記載のスイッチング装置。
【請求項１２】
前記スリーブ状の突起の一方の側に前記切換レバーのための溝状の開口が配置され、前記溝状の開口は、前記切換レバーが前記溝状の開口を通して且つ閉位置で前記溝状の開口に当接する寸法を有することを特徴とする請求項１１に記載のスイッチング装置。
【請求項１３】
前記支持板の裏側に、切換レバーを収容するための凹部が設けられていることを特徴とする請求項１１に記載のスイッチング装置。
【請求項１４】
前記切換レバーは、球体を収容するための溝を有し、前記球体は、弾性的に配置されていることを特徴とする請求項１３に記載のスイッチング装置。
【請求項１５】
前記支持板はブラインドホールを備え、前記ブラインドホール内にバネが設けられ、前記球体は前記バネにより弾性的に配置され、切換レバーがスイッチ開位置に位置するとき、バネの弾力により球体がブラインドホールから溝に押し出され、切換レバーが閉位置まで枢動するときに、溝が切換レバーに追随して移動し、溝から突出する球体の一部がバネの弾力に抗してブラインドホール内に押し戻されることを特徴とする請求項１４に記載のスイッチング装置。
【請求項１６】
前記スイッチング装置は、バネアセンブリをさらに備え、前記バネアセンブリは、切換レバーの枢動軸線の周りに配置され、切換レバーは、延在して枢動軸線を超えるその端部に、駆動器を有し、前記駆動器はバネアセンブリと操作可能に接続されていることを特徴とする請求項１３に記載のスイッチング装置。
【請求項１７】
前記支持板は、そのスリーブ状の突起内に通路が設けられ、前記通路は前記リード線を引き出すために用いられることを特徴とする請求項７に記載のスイッチング装置。
【請求項１８】
前記支持板の縁は、前記スリーブ状の突起を取り囲み、且つ前記軸受部材を固定するための開口を有することを特徴とする請求項７に記載のスイッチング装置。
【発明の詳細な説明】
【技術分野】
【０００１】
本発明は、スイッチング装置に関し、特に電動カーテンに用いられるスイッチング装置に関するものである。
【背景技術】
【０００２】
カーテンの巻取りと繰り出しに用いられる装置は各種の設計において知られている。この場合、カーテンの幕の巻取りと繰り出しは手動操作又は駆動装置により行われる。カーテンは、独立的にコードにおいて引き上げ及び／又は引き下げすることができ、若しくはコードでリールにより上下に巻き取られる。電動カーテン装置では、カーテンの幕の駆動装置の上に配置される部材としては、モータと変速機のみならず、駆動モータの回転方向を変更するための複数のスイッチもある。異なるスイッチがリールの軸方向において一定の距離を隔て、且つ軸方向に移動する操作素子により接続されている。このようなスイッチング装置には、通常、２つのスイッチを収容するために、大きな空間が必要である。
【発明の概要】
【発明が解決しようとする課題】
【０００３】
上記の問題に鑑みて、本発明の目的は、コンパクトな構成を有する改良されたスイッチング装置を提供することにある。
【課題を解決するための手段】
【０００４】
本発明はスイッチング装置を提供し、当該スイッチング装置は、
軸受部材と、
スイッチ開（オフ）位置と少なくとも１つの閉（オン）位置との間に枢動する切換レバーと、
少なくとも１つの摺動接点及びそれに対応する接触経路を有する接触システムとを備え、
前記接触経路は、接続板の一方の側に位置し、
前記摺動接点は前記切換レバーの動きに追随して移動し、前記接続板における接触経路は電動駆動装置に接続されている。
【０００５】
好ましくは、前記軸受部材はスリーブ状の突起を有し、前記接触システムは、前記スリーブ状の突起内に収容されている。
【０００６】
好ましくは、前記接触経路は線形勾配（ｌｉｎｅａｒ ｇｒａｄｉｅｎｔ）を有し、且つ互いに平行に配置されている。
【０００７】
好ましくは、前記閉位置の数は２つであり、前記切換レバーは、手動操作又は制御装置による操作により、スイッチ開位置から２つの異なる閉位置に枢動し、前記スイッチ開位置は、２つの閉位置の間に位置する。
【０００８】
好ましくは、前記スリーブ状の突起内に、軸受ブッシュを有し、前記軸受ブッシュに接続片が対応的に設けられ、前記摺動接点の接触アームは、それぞれ前記接続片内に挿入され、前記接続片は、軸受ブッシュに、軸方向において前後に設けられている。
【０００９】
好ましくは、前記摺動接点の接触アームを収容するために、前記接続片に、収容溝が対応的に設けられている。
【００１０】
好ましくは、前記軸受ブッシュにおける接続片に挿入式貫通孔が設けられ、前記挿入式貫通孔は前記収容溝と貫通し、これらの貫通孔は摺動接点に対応するリード線を収容し、前記切換レバーがスイッチ開位置に位置するとき、前記収容溝は前記接続板の垂直方向に延出する。
【００１１】
好ましくは、前記切換レバーがスイッチ開位置に位置するとき、前記摺動接点は前記接続板と距離を隔てており、前記摺動接点の端側の接触舌片と接触経路とは接触していない。
【００１２】
好ましくは、前記切換レバーがが第１閉位置まで枢動するときに、前記摺動接点の端側の接触舌片が前記接触経路と接触して、電動駆動装置が第１方向に沿って回転するように電動駆動装置を起動させ、前記切換レバーが第２閉位置まで枢動するときに、前記摺動接点の端側の接触舌片が前記接触経路と接触して、電動駆動装置が第１方向に反対する第２方向に沿って回転するように電動駆動装置を起動させる。
【００１３】
好ましくは、前記スイッチング装置はカーテン装置に設けられ、前記カーテン装置はカーテンを備え、前記電動駆動装置が第１方向に沿って回転するとき、前記カーテンが引き上げられ、前記電動駆動装置が第２方向に沿って回転するとき、前記カーテンが下降する。
【００１４】
好ましくは、前記軸受部材はスリーブ状の突起及び支持板を備え、前記スリーブ状の突起は前記接触システムを収容し、前記スリーブ状の突起は、前記支持板の前側に設けられている。
【００１５】
好ましくは、前記スリーブ状の突起の一方の側に前記切換レバーのための溝状の開口が配置され、前記溝状の開口は、前記切換レバーが前記溝状の開口を通して且つ閉位置で前記溝状の開口に当接する寸法を有する。
【００１６】
好ましくは、前記支持板の裏側に、切換レバーを収容するための凹部が設けられている。
【００１７】
好ましくは、前記切換レバーは、球体を収容するための溝を有し、前記球体は、弾性的に配置されている。
【００１８】
好ましくは、前記支持板はブラインドホールを備え、前記ブラインドホール内にバネが設けられ、前記球体は前記バネにより弾性的に配置され、切換レバーがスイッチ開位置に位置するとき、バネの弾力により球体がブラインドホールから溝に押し出され、切換レバーが閉位置まで枢動するときに、溝が切換レバーに追随して移動し、溝から突出する球体の一部がバネの弾力に抗してブラインドホール内に押し戻される。
【００１９】
好ましくは、前記スイッチング装置は、バネアセンブリをさらに備え、前記バネアセンブリは、切換レバーの枢動軸線の周りに配置され、切換レバーは、延在して枢動軸線を超えるその端部に、駆動器を有し、前記駆動器はバネアセンブリと操作可能に接続されている。
【００２０】
好ましくは、前記支持板は、そのスリーブ状の突起内に通路が設けられ、前記通路は前記リード線を引き出すために用いられる。
【００２１】
好ましくは、前記支持板の縁は、前記スリーブ状の突起を取り囲み、且つ前記軸受部材を固定するための開口を有する。
【発明の効果】
【００２２】
本発明において、上記好適な条件は本分野の常識と適合したうえで任意に組み合わせ可能である。それにより、本発明のそれぞれの好適な実施例が得られる。
【図面の簡単な説明】
【００２３】
【図１】本発明の好ましい実施例に係るスイッチング装置を示す模式図である。
【図２】図１におけるスイッチング装置がスイッチ開位置に位置することを示す局所模式図である。
【図３】図１におけるスイッチング装置が閉位置に位置することを示す局所模式図である。
【図４】図１におけるスイッチング装置がもう１つの閉位置に位置することを示す局所模式図である。
【図５】もう１つの実施例に係るスイッチング装置がスイッチ開位置に位置することを示す正面図である。
【図６】図５におけるスイッチング装置がスイッチ開位置に位置することを示す背面図である。
【図７】図５におけるスイッチング装置が閉位置に位置することを示す正面図である。
【図８】図５におけるスイッチング装置が閉位置に位置することを示す背面図である。
【図９】図５におけるスイッチング装置がもう１つの閉位置に位置することを示す模式図である。
【図１０】図５におけるスイッチング装置がもう１つの閉位置に位置することを示す背面図である。
【図１１】図５におけるスイッチング装置がスイッチ開位置に位置することを示す断面図である。
【図１２】図５におけるスイッチング装置が閉位置に位置することを示す断面図である。
【図１３】図５におけるスイッチング装置がもう１つの閉位置に位置することを示す断面図である。
【図１４】実施例に係るスイッチング装置を示す断面図である。
【発明を実施するための形態】
【００２４】
以下、図面を参照しながら、各種の実施例で本発明について説明する。図面において、類似する構成及び機能を有する構成については、同じ符号を用いて 示す。図面に示す部材の大きさ及び特徴は、本発明の各実施例を便利に説明及び開示するためのものであり、本発明を網羅的に説明するためのものではなく、本発明の特許請求の範囲を限定するものでもない。
【００２５】
図１には、本発明の好ましい実施形態に係るスイッチング装置１が示され、ここで、前記スイッチング装置１は電動カーテンに適用され、前記カーテンが示されていない。前記スイッチング装置１は、カーテン装置に設けられ、閉位置Ｓ１で当該カーテンを引き上げ、又はもう１つの閉位置Ｓ２で当該カーテンを引き下げるように、カーテンの電動駆動を制御する。
【００２６】
このようなカーテンの異なる動きに応じて、電動駆動装置が対応的に設置され、前記電動駆動装置が２つの異なる回転方向において回転することができる。この電動駆動装置に接続するために、２つの異なる接続点が設けられ、これにより、異なる接触を図る。このような場合、スイッチング装置１は、摺動接点３１、３２及び接触経路３３、３４、３５を有する接触システムを備える。前記接触経路３３、３４、３５が、接続板４０の一方の側に位置する。接続板４０の他方の側に、カーテンの電動駆動装置に用いられる、対応する構造（図示せず）が設けられている。本実施形態において、接触経路３３、３４、３５が線形勾配を有し、且つ互いに平行に配置されている。
【００２７】
摺動接点３１、３２及び接触経路３３、３４、３５を有する上述した接触システムが軸受部材１０的スリーブ状の突起１１内に収容されている。スリーブ状の突起１１を除き、前記軸受部材１０が支持板１２を備え、前記支持板１２の縁が前記スリーブ状の突起１１を取り囲み、且つネジ締めに用いられ、前記カーテン装置に接続するための開口１５を有する。前記スリーブ状の突起１１が前記接触システムを収容し、且つ前記スリーブ状の突起１１の一方の側に、切換レバー２０のための溝状の開口１３が配置されている。前記溝状の開口１３は、前記切換レバー２０が前記溝状の開口１３を通し、且つ閉位置Ｓ１又はＳ２で前記溝状の開口１３に当接する寸法を有する。
【００２８】
閉位置Ｓ１と閉位置Ｓ２との間にスイッチ開位置Ｓ０があり、図１及び図２に示すように、それが切換レバー２０が移動する中間位置である。図２に示すように、スイッチ開位置Ｓ０では、前記電動駆動装置と接続しておらず、摺動接点３１、３２が前記接続板４０と一定の距離で隔て、そして、前記接触経路３３、３４、３５との間にも距離がある。
【００２９】
前記切換レバー２０は、その軸線Ｓ（好ましくは、同様にスリーブ状の突起１１の中心軸線）周りに移動し、前記摺動接点３１、３２の接触アーム３１１、３２１が軸受ブッシュ２１に設けられているため、前記摺動接点３１、３２がさらに前記切換レバー２０の動きに追随して移動する。当該軸受ブッシュ２１が軸線Ｓを中心としてに延在する。摺動接点３１、３２の接触アーム３１１、３２１を収容するために、前記軸受ブッシュ２１に接続片２２、２３が対応的に設けられ、前記接触アーム３１１、３２１が前記接続片２２、２３における収容溝内に挿入されている。前記切換レバー２０がスイッチ開位置Ｓ０に位置するとき、前記収容溝が前記接続板４０の垂直方向に延在する。前記軸受ブッシュ２１における接続片２２、２３に、それぞれ挿入式貫通孔２４、２５が設けられ、前記挿入式貫通孔２４、２５が前記収容溝と貫通し、これらの貫通孔２４、２５は摺動接点３１、３２に対応するリード線を収容するためのものである。これらのリード線（図示せず）が支持板１２の中の通路１４を通して挿入式貫通孔２４、２５まで引き出されている。
【００３０】
軸受ブッシュ２１における接続片２２、２３が枢動軸線Ｓから異なる方向に沿って延在し、且つ軸方向において前後に設けられ、これにより、用いられる摺動接点３１、３２が、隣接する平面において移動することができる。図２に示すように、前記摺動接点３１、３２が軸受ブッシュ２１の外側で異なる方向に向かって折り曲げ、つまり、軸線Ｓの右側にある摺動接点３１が左側に向かって折り曲げ、軸線Ｓの左側にある摺動接点３２が右側に折り曲げ、これにより、摺動接点３１、３２がそれぞれ隣接する平面、即ち、軸受ブッシュ２１に対して軸方向に連続的に配置されている平面において移動する。これにより、摺動接点３１、３２のそれぞれの移動が互いに干渉しない。
【００３１】
摺動接点３１、３２が移動する平面は、枢動軸線Ｓに垂直して延在する、線形に整列した接触経路３３、３４、３５に接触することができる。これらの接触経路３３、３４、３５が互いに平行に配置され、即ち、接触経路３３、３４が摺動接点３１の移動空間にあり、且つ接触経路３４、３５が摺動接点３２の移動空間にあり、このように配置すれば、空間を節約することができる。
【００３２】
前記切換レバー２０が図２に示す位置から上へ向かって図３に示す閉位置Ｓ１に枢動すると、前記摺動接点３１が下へ移動して、その端側の接触舌片３１２が接触経路３３、３４と接触し、これにより、電動駆動装置を起動させ、当該カーテンが引き上げられる。もう１つの摺動接点３２が、切換レバー２０のこのような枢動移動中に、さらに接続板４０から離間し、且つ接触経路３４、３５と接触しない。
【００３３】
一方で、切換レバー２０が反対方向に沿って図４に示された閉位置Ｓ２に枢動すると、摺動接点３２が、このような枢動移動中に下降するとともに、接続板４０における接触経路３４、３５と接触し、接触経路３４、３５は、電動駆動装置が反対方向に回転するように電動駆動装置を起動させ、これにより、当該カーテンを下降させる。切換レバー２０の枢動移動中に、第１摺動接点３１が接続板４０に対して持ち上げられ、且つ接触経路３３、３４と接触することがなくなる。本実施形態において、前記接触舌片３１２、３２２がＵ形状に設けられ、これにより、前記摺動接点３１、３２が接触経路と接触する圧力が大きくなり、点接触をより効果的に行うことができる。
【００３４】
本実施形態において、切換レバー２０が閉位置Ｓ１からもう１つの閉位置Ｓ２に回転すると、必ずスイッチ開位置Ｓ０に対応する中間枢動位置を通る。これは、カーテンが反対方向に沿って移動する前に、カーテンを停止させることに有利である。
【００３５】
軸受ブッシュ２１内に摺動接点３１、３２及び接触経路３３、３４、３５を有する接触システムにより、スイッチング装置１の構成をよりコンパクトにし、前記軸受部材１０のスリーブ状の突起１１から突出する切換レバー２０は、手動操作又は制御装置により操作することができる。
【００３６】
図５乃至１４には、スイッチング装置１のもう１つの実施例が示されている。本実施形態において、同じ部材について、同じ符号を用いる。同様に、当該実施例において、スイッチング装置１が摺動接点３１、３２を有する接触システムを備え、さらに接触経路３３、３４、３５を備える。接触経路３３、３４、３５が接続板４０の一方の側に位置する。当該接触システムが軸受部材１０のスリーブ状の突起１１に収容されている。スリーブ状の突起１１を除き、前記軸受部材１０が支持板１２を備え、本実施形態において、切換レバー２０が支持板１２の前側に設けられておらず、裏側に設けられている。
【００３７】
図６に示すように、支持板１２の裏側に切換レバー２０を収容するための対応する凹部１６、１６´を有する。前記切換レバー２０が図６に示すスイッチ開位置Ｓ０から図１０に示す閉位置Ｓ１又は図８に示すもう１つの閉位置Ｓ２に移動すると、前記切換レバー２０が枢動軸線Ｓ周りに枢動し、且つ支持板１２の凹部１６、１６´内で移動する。
【００３８】
図５、６に示すように、スイッチ開位置Ｓ０では、前記電動駆動装置と接続されておらず、摺動接点３１、３２が前記接続板４０と距離を隔てており、さらに前記接触経路３３、３４、３５との間にも距離がある。本実施形態において、前記軸受ブッシュ２１に接続片２２が対応的に設けられ、当該軸受ブッシュ２１が前記切換レバー２０の軸線Ｓを中心として延在する。
【００３９】
本実施形態において、前記切換レバー２０の枢動移動の触覚フィードバック装置が提供され、図６に示すように、切換レバー２０が球体５０のための溝２６を有し、好ましくは、図１１の断面図に示すように、当該球体５０が圧縮バネ５１（即、バネ）によって弾性的に配置されている。当該圧縮バネ５１の弾力によって、球体５０が支持板１２のブラインドホール２８から押し出され、そして、可能であれ、切換レバー２０がスイッチ開位置Ｓ０に位置するとき、球体５０が溝２６に押される。
【００４０】
図７、８に示すように、切換レバー２０が閉位置Ｓ２に枢動移動すると、溝２６が切換レバー２０に追随して下へ移動し、溝２６から突出する球体５０の一部がバネ５１の弾力に抗してブラインドホール２８内に押し戻される。前記バネ５１が押圧されて付勢力を発生し、これにより、溝２６に位置する球体５０が溝２６から完全に押し出され、前記バネ５１の弾力が持続的に大きくなる。このような場合、特殊な触覚が生じ、これにより、制御が既に起動され、即ち、切換レバー２０が既にそのスイッチ開位置Ｓ０からその閉位置Ｓ２に移動し、且つ摺動接点３２が接触経路３４、３５と接触したことを操作者に知らせる。
【００４１】
これについては、反対方向に枢動移動する場合、即ち、図９、１０に示すもう１つの閉位置Ｓ１での枢動移動も同様である。切換レバー２０が枢動軸線Ｓの周りに上へ枢動移動中に、溝２６が、図１３に示すように、上へ移動し、球体５０が同じようにブラインドホール２８に押されているとともに、圧縮バネ５１が圧縮される。
【００４２】
図１４を合わせて参照すると、本実施形態において、切換レバー２０がバネアセンブリ６０により元の位置に戻される。当該バネアセンブリ６０が１つ又は複数の圧縮バネにより構成可能である。バネアセンブリ６０が切換レバー２０の枢動軸線Ｓの周りに配置されている。切換レバー２０が、延在して枢動軸線Ｓを超えるその端部に、駆動器２７を有する。当該駆動器２７が支持板１２の開口１７を通し、且つバネアセンブリ６０と操作可能に接続されている。
【００４３】
本実施形態において、駆動器２７がバネアセンブリ６０のバネコイルの間に位置する。従って、切換レバー２０がスイッチ開位置Ｓ０から閉位置Ｓ１又はＳ２に枢動する間、当該バネアセンブリ６０も圧縮される。枢動操作の後、上記圧縮されたバネアセンブリ６０の弾力により、切換レバー２０が独立的にその開位置Ｓ０に戻される。切換レバー２０がスイッチ開位置Ｓ０に保持され、球体５０の一部も切換レバー２０の溝２６に係合しており、そして、圧縮バネ５１による圧力がかかるため、切換レバー２０はそのスイッチ開位置Ｓ０で、球体５０が当該溝２６に押し込まれている。上記構造がスイッチング装置１に配置され、これにより、適宜な形式で操作者に触覚フィードバックすることができる。
【００４４】
以上、本発明の具体的な実施形態を説明したが、当業者が理解すべきであるものは、これらが例示的な説明に過ぎず、本発明の保護範囲が特許請求の範囲に限定されるものである。本発明では、上記好ましい条件が当分野の常識と適合したうえで任意に組み合わせることが可能である。それにより、本発明のそれぞれの好適な実施例が得られる。
【００４５】
当業者が本発明の原理と要旨を逸脱しない範囲内において種々の変形又は変更が実施可能であるが、これらの変形と変更は本発明の保護範囲に含まれる。
【図１】
2018129293.tif 000003
【図２】
2018129293.tif 000004
【図３】
2018129293.tif 000005
【図４】
2018129293.tif 000006
【図５】
2018129293.tif 000007
【図６】
2018129293.tif 000008
【図７】
2018129293.tif 000009
【図８】
2018129293.tif 000010
【図９】
2018129293.tif 000011
【図１０】
2018129293.tif 000012
【図１１】
2018129293.tif 000013
【図１２】
2018129293.tif 000014
【図１３】
2018129293.tif 000015
【図１４】
2018129293.tif 000016
【外国語明細書】
2018129293000001.pdf
2018129293000002.pdf
2018129293000003.pdf
2018129293000004.pdf